(57)【要約】【課題】ＰＨＳ屋内カバレッジシステムのＰＨＳ内線端末が内線通話中に公衆ＣＳにハンドオーバすると公衆網から切断されてしまう。【解決手段】ＰＨＳ屋内カバレッジシステムの内線ＣＳの一斉呼出エリア番号２１２を周囲の公衆ＣＳと異なる値に設定する。通話呼ごとにＣＳＳで端末からの着番号を元に内線特番が付随されれば内線呼、そうでなければ外線呼の判定を行い基地局側に結果を教える。判定結果に基づき基地局は内線呼の端末には機能要求応答メッセージのＴＣＨ切替情報要素のＴＣＨ切替機能種別を一斉呼出エリア間他ＣＳへの再発呼型接続機能無に設定し、内線通話中のＰＨＳ内線端末の公衆ＣＳへのハンドオーバを回避する。【選択図】図８
2008148247.tif 000002
【特許請求の範囲】
【請求項１】
内線制御装置と、この内線制御装置と有線接続された内線基地局と、この内線基地局と無線接続され、公衆無線端末としても使用可能な複数の内線無線端末とからなる無線内線システムにおいて、
前記内線制御装置は、第１の内線無線端末から受信した呼設定メッセージから内線への発信か外線への発信かを判定し、判定結果を前記基地局に通知し、
前記内線基地局は、前記判定結果に基づいて、公衆基地局へのハンドオーバの可否を前記第１の内線無線端末に通知することを特徴とする無線内線システム。
【請求項２】
請求項１に記載の無線内線システムであって、
前記内線制御装置は、前記判定結果を呼設定受付メッセージに含めて前記基地局に通知することを特徴とする無線内線システム。
【請求項３】
内線制御装置と有線接続され、公衆無線端末としても使用可能な内線無線端末と無線接続された内線基地局において、
前記内線制御装置の判定結果に基づいて、公衆基地局へのハンドオーバの可否を前記内線無線端末に通知することを特徴とする内線基地局。
【請求項４】
請求項３に記載の内線基地局であって、
前記公衆基地局へのハンドオーバの可否は、機能要求応答メッセージに含めて前記内線無線端末に通知することを特徴とする内線基地局。
【発明の詳細な説明】
【技術分野】
【０００１】
本発明は無線内線システムおよび内線基地局に係り、ＰＨＳ内線端末が内線通話中に周囲のＰＨＳ公衆基地局（以下公衆ＣＳと称する）にハンドオーバし通話が切断されることを避ける無線内線システムおよび内線基地局に関する。
【背景技術】
【０００２】
ＰＨＳ（Personal Handy phone System）屋内カバレッジシステムは、公衆用無線周波数を用いた内線システムである。ＰＨＳ屋内カバレッジシステムは、ＰＨＳ公衆端末を用いて内線交換およびＰＨＳ網への接続を行う。ＰＨＳ屋内カバレッジシステムは、ＰＨＳ内線端末、内線基地局（以下内線ＣＳ（Cell Station）と称する）および内線制御装置とから構成される。ここで、ＰＨＳ内線端末は、誰でも購入でき、市販されているＰＨＳ公衆端末である。ＰＨＳ屋内カバレッジシステムに登録したＰＨＳ公衆端末（ＰＨＳ内線端末）は、ＰＨＳ公衆網では公衆端末として、ＰＨＳ屋内カバレッジシステム配下では内線端末および公衆端末として利用できる。一方、ＰＨＳ屋内カバレッジシステムに登録していないＰＨＳ公衆端末は、ＰＨＳ屋内カバレッジシステム配下でも、公衆端末として利用できる。このＰＨＳ公衆端末は、内線ＣＳから公衆ＣＳへハンドオーバできる。また、外線通話中のＰＨＳ内線端末も、内線ＣＳから公衆ＣＳへハンドオーバできる。
【０００３】
ＰＨＳ屋内カバレッジシステムで内線通話を行う場合、この内線呼を接続する手続きはシステム内で終端している。すなわち、ＰＨＳ屋内カバレッジシステムは、公衆網とは何のやりとりも実施しない。このため、内線通話を行っているＰＨＳ内線端末が公衆ＣＳにハンドオーバした場合、ＰＨＳ公衆網は当該内線呼の通話情報通話先、認証情報などを認識できない、この結果、ＰＨＳ内線端末は、ＰＨＳ公衆網から切られてしまう。このような事態を避けるため、内線通話中に公衆ＣＳにハンドオーバさせないことが必要である。
【０００４】
ＰＨＳは、ハンドオーバ先ＣＳを一斉呼出エリアによって選択できる無線システムである。非特許文献１の９２ページに記載のように、ＰＨＳではＣＳ−ＩＤ（４２ビット）に一斉呼出エリア番号（例えば１６ビット）を設けている。一斉呼出エリア番号は、トラフィック状況などに合わせて数十台のＣＳ毎に設定される。また、ＣＳ−ＩＤを用いて、ハンドオーバが発生した場合、ＣＳから端末に異なる一斉呼出エリアのＣＳにはハンドオーバしないように指示することもできる。これは、キャリア２社の基地局が混在しているとき、キャリアを跨ったハンドオーバを防止するための機能である。
【０００５】
【非特許文献１】「第二世代コードレス電話システム」、ＡＲＩＢ  ＲＣＲ  ＳＴＤ−２８  ３．３版  ２０００年３月  財団法人  電波システム開発センター  ｐｐ９２、２４９、２９０
【発明の開示】
【発明が解決しようとする課題】
【０００６】
ＰＨＳ屋内カバレッジシステムのＰＨＳ内線端末は、ＰＨＳ屋内カバレッジシステムとＰＨＳ公衆網の境界付近で内線通話を行う時、内線通話中に公衆ＣＳにハンドオーバして、通話が切断されてしまうことがあった。
【課題を解決するための手段】
【０００７】
上述した課題は、内線制御装置と、この内線制御装置と有線接続された内線基地局と、この内線基地局と無線接続され、公衆無線端末としても使用可能な複数の内線無線端末とからなり、内線制御装置は、第１の内線無線端末から受信した呼設定メッセージから内線への発信か外線への発信かを判定し、判定結果を基地局に通知し、内線基地局は、判定結果に基づいて、公衆基地局へのハンドオーバの可否を第１の内線無線端末に通知する無線内線システムにより、達成できる。
【０００８】
また、内線制御装置と有線接続され、公衆無線端末としても使用可能な内線無線端末と無線接続され、内線制御装置の判定結果に基づいて、公衆基地局へのハンドオーバの可否を内線無線端末に通知する内線基地局により、達成できる。
【発明の効果】
【０００９】
本発明によれば、ＰＨＳ屋内カバレッジシステムの内線ユーザがシステム内で内線通話を行う際、安定した通話とすることができる。
【発明を実施するための最良の形態】
【００１０】
以下、本発明の実施の形態について、実施例を用い図面を参照しながら説明する。なお、同一部位には同じ参照番号を振り、説明は繰り返さない。ここで、図１はＰＨＳ屋内カバレッジシステムと公衆網との干渉を説明する図である。図２はＰＨＳ屋内カバレッジシステムのシステム構成を説明するブロック図である。図３はＰＨＳ内線端末、内線ＣＳ、公衆ＣＳ、ＰＨＳ交換機の間のシーケンス図である。図４はＣＳ−ＩＤのフォーマットである。図５は機能要求応答メッセージのフォーマットである。図６および図７はＰＨＳ内線端末、内線ＣＳ、ＣＳＳのシーケンス図である。図８ないし図１０は内線ＣＳの動作フローチャートである。
【００１１】
図１において、ＰＨＳ屋内カバレッジシステムが導入されたオフィスビル６０で窓付近または入口付近は、内線ＣＳ ２０と公衆ＣＳ ４０電波が交差する境界区域である。内線ＣＳ ２０と公衆ＣＳ ４０は、同じ制御チャネルで電波を送出しているため、ＰＨＳ内線端末３０からはその区別がつかない。このため、この境界区域で、公衆ＣＳ ４０の電波が比較的強く、ＰＨＳ内線端末３０−１が内線通話中にこの区域に移動すると、内線ＣＳ ２０−１から公衆ＣＳ ４０−１へハンドオーバする可能性がある。同様に、ＰＨＳ内線端末３０−２が内線通話中にこの区域に移動すると、内線ＣＳ ２０−２から公衆ＣＳ ４０−２へハンドオーバする可能性がある。
【００１２】
図２において、ＰＨＳ屋内カバレッジシステム７０は、複数のＩＳＤＮ回線９５でＰＨＳ公衆網８０に接続されている。内線ＣＳ ２０はすべてＣＳＳ ９０に接続されており、ＰＨＳ内線端末３０と外線の接続は、ＣＳＳによって制御される。屋内にあるＰＨＳ内線端末３０−１とＰＨＳ内線端末３０−２が外線経由で通話を行う場合、それぞれのＰＨＳ内線端末は、ＰＨＳ内線端末３０−１＿内線ＣＳ ２０−１＿ＣＳＳ ９０＿ＩＳＤＮ回線９５−１＿ＰＨＳ公衆網８０＿ＩＳＤＮ回線９５−２＿ＣＳＳ ９０＿内線ＣＳ ２０−２＿ＰＨＳ内線端末３０−２と接続される。同様に内線通話を行う場合、それぞれのＰＨＳ内線端末は、ＰＨＳ内線端末３０−１＿内線ＣＳ ２０−１＿ＣＳＳ ９０＿内線ＣＳ ２０−２＿ＰＨＳ内線端末３０−２と接続される。すなわち、内線通話のとき、ＣＳＳ ９０は、ＰＨＳ公衆網８０とは、メッセージのやりとりを実施しない。
【００１３】
図３を参照して、ＰＨＳ内線端末３０が内線ＣＳ ２０を介して、内線通話中に公衆ＣＳ ４０にハンドオーバした場合を説明する。図３において、ＰＨＳ内線端末３０と内線ＣＳ ２０とは、通信中である。ＰＨＳ内線端末３０のユーザが移動して、レベル劣化/受信劣化が検出され、ＰＨＳ内線端末から、公衆ＣＳへのハンドオーバ処理を開始したとして説明する。
【００１４】
具体的には、ＰＨＳ内線端末３０は、公衆ＣＳ ４０に呼設定メッセージを送信する（Ｔ１０１）ことによってハンドオーバを開始する。ＰＨＳ内線端末３０は、この呼設定メッセージに、内線発信時の認証処理にて得た認証演算結果を乱数とし、認証鍵を用いて認証演算を行った結果（ファシリティ）を添付する。公衆ＣＳ ４０は、受信した呼設定メッセージをＰＨＳ交換機８５に転送する（Ｔ１０２）。ＰＨＳ交換機８５は、ＰＨＳ内線端末３０からの呼設定メッセージに添付されたファシリティで公衆ユーザとして登録された番号から認証鍵を検索した後、保持している認証演算結果を調べる。しかし、内線通話時は内線呼をシステム内に終端する為、ＰＨＳ交換機８５は認証演算結果を持っていない。よって、ＰＨＳ交換機８５側は認証エラーとなる（Ｔ１０３）。ＰＨＳ交換機８５は、呼を切断する（Ｔ１０４）。公衆ＣＳは、ＰＨＳ交換機との呼が切断されたことから、ＰＨＳ内線端末３０との呼を切断する（Ｔ１０５）。この結果、ＰＨＳ内線端末３０の内線通話が切断される（Ｔ１０６）。
【００１５】
なお、認証エラーを検出する装置は、ＰＨＳ網８０を構築したキャリアによって異なる。したがって、ＰＨＳ交換機に限らずＣＳ制御装置（ＣＳＣ（CS Controller））でも、他の装置でも良い。また、検出するエラーも認証エラーに限らず、接続元エラーであることもある。
【００１６】
図３で説明したように、ＰＨＳ内線端末が内線通話中に公衆ＣＳにハンドオーバした場合、認証エラーまたは接続元エラーで公衆網から切断されてしまう。これを避ける為、ＰＨＳ内線端末の内線通話呼に関しては公衆ＣＳにハンドオーバしないような処理が必要になる。本実施例の屋内カバレッジシステム７０は、この処理を２ステップに分けて実現する。つまり、ＣＳ−ＩＤを用いて、周囲の公衆基地局４０とは異なる一斉呼出エリアを設定する第１のステップと、基地局から端末に送信する機能要求応答メッセージにて一斉呼出エリアの異なる基地局への再発呼型接続機能を無効に設定する第２のステップである。
【００１７】
図４において、ＣＳ−ＩＤは、基地局を識別するためのＩＤである。ＰＨＳ公衆網において、ＣＳ−ＩＤ ２１０は、ビット長４２ビットであり、９ビットの事業者識別符号２１１と、１６ビットの一斉呼出エリア番号２１２と、１７ビットの付加ＩＤ２１３の情報を有する。この内一斉呼出エリア番号２１２は、端末の所在エリアを網側に登録する番号であり、各ＰＨＳ内線端末３０は、ハンドオーバを行う際、ハンドオーバ先基地局の一斉呼出エリアが、現在接続されている基地局の一斉呼出エリアと異なるか否かをチェックする。なお、一斉呼出エリア番号のビット長は、１６ビット固定長ではなく、可変長である。
【００１８】
図５を参照して、呼を接続する際、ＣＳからＰＨＳ端末に通知する機能要求応答メッセージを説明する。図５において、機能要求応答メッセージ２００には、プロトコル識別子と、メッセージ種別と、通話チャネル（以下、ＴＣＨ）切替情報要素２０１とが付与される。切替情報要素２０１は、情報要素識別子とＴＣＨ切替機能種別２０３とから構成される。さらに、ＴＣＨ切替機能種別２０３は、１バイトであり、先頭ビット（ビット８）は”０”固定、ビット７〜ビット１は不定である。また、ＴＣＨ切替機能種別２０３のビット５は、一斉呼出エリアの異なる他のＣＳへの再発呼型接続機能を有/無に設定するビットである。つまり、このビットを“１”にすれば端末がハンドオーバする際、異なる一斉呼出エリアの基地局にもハンドオーバすることができるが、“０”にすれば一斉呼出エリア内の基地局にしかハンドオーバしない。すなわち、本実施例では、内線通話のとき、ＴＣＨ切替機能種別２０３の５ビットを”０”とする。
【００１９】
以下、シーケンス図とフローチャートを用いて、内線通話中のＰＨＳ内線端末の公衆ＣＳへのハンドオーバを回避する手順を発信と着信に分けて説明する。
図６は、ＰＨＳ内線端末が内線発信を行った場合の、ＰＨＳ内線端末、内線ＣＳ、ＣＳＳ間のシーケンスを示すものである。
【００２０】
図６において、ＰＨＳ内線端末３０−１の利用者がオフフックすると、ＰＨＳ内線端末３０−１は、まず論理制御チャネルを用いてリンクチャネル確立要求メッセージを内線ＣＳ ２０−１に送信する（Ｔ１１１）。リンクチャネル確立要求メッセージを受信した内線ＣＳ ２０−１は、リンクチャネル割当をＰＨＳ内線端末３０−１に返信する（Ｔ１１２）。ＰＨＳ内線端末３０−１は、同期バーストを内線ＣＳ ２０−１に送信する（Ｔ１１３）。同期バーストを受信した内線ＣＳ ２０−１は、同期バーストをＰＨＳ内線端末３０−１に返信する（Ｔ１１４）。同期バーストは、周波数および時間的な同期をＣＳ ２０−１とＰＨＳ内線端末３０−１との間で取るために送受信される。次に、ＰＨＳ内線３０−１は、ＳＡＢＭ（Set ABM（Asynchronous Balanced Mode：非同期平衡モード））メッセージを内線ＣＳ ２０−１に送信する（Ｔ１１６）。ＳＡＢＭメッセージを受信した内線ＣＳ ２０−１は、ＵＡ（Unnumbered Acknowledgement）メッセージを返信する（Ｔ１１７）。
【００２１】
ここで、ＰＨＳ内線端末３０−１は、確立されたリンクチャネルを用いて呼設定メッセージを内線ＣＳ ２０−１に送信する（Ｔ１１８）。呼設定メッセージを受信した内線ＣＳ ２０−１は、呼設定メッセージをＣＳＳ ９０に転送した後（Ｔ１１９）、呼設定受付応答メッセージをＰＨＳ内線端末３０−１に返信する（Ｔ１２１）。ＣＳＳ ９０は、内線ＣＳ ２０−１からの呼設定メッセージを受信すると着番号情報要素から内線への発信か外線への発信かを判断する（Ｔ１２０）。ＰＨＳ屋内カバレッジシステムで内線発信時は、例えば、内線番号の前に“＊１”の特番をつけてダイヤルする。一方、外線時は公衆番号に特番を付加せずにそのままダイヤルする。ＣＳＳ ９０は、内線ＣＳ ２０−１からの呼設定メッセージ２２０−１の着番号情報要素に“＊”がついていれば内線、そうでなければ外線と判断する。内線番号の判定方法は、特番に限らず、電話番号の桁数で判定しても良い。
【００２２】
ＰＨＳ内線端末３０−１は、定義情報要求メッセージを内線ＣＳ ２０−１に送信する（Ｔ１２２）。定義情報要求メッセージを受信した内線ＣＳ ２０−１は、ＰＨＳ内線端末３０−１に定義情報応答メッセージを返信する（Ｔ１２３）。このとき、内線ＣＳ ２０−１は、呼設定メッセージを受信したＣＳＳ ９０からの呼設定受付メッセージを受信したとする（Ｔ１２４）。この呼設定受付メッセージには、ＣＳＳ ９０による内線／外線判定結果が付与されている。
【００２３】
ＰＨＳ内線端末３０−１は、機能要求メッセージを内線ＣＳ ２０−１に送信する（Ｔ１２６）。機能要求メッセージを受信した内線ＣＳ ２０−１は、内線／外線判定結果に基づきＰＨＳ内線端末３０−１に機能要求応答メッセージを返信する（Ｔ１２７）。この機能要求応答メッセージには、一斉呼出エリアの異なる他ＣＳへの再発呼型接続機能有/無を指示が含まれている。ＰＨＳ内線端末３０−１は、秘匿鍵設定メッセージを内線ＣＳ ２０−１に送信する（Ｔ１２８）。秘匿鍵設定メッセージを受信した内線ＣＳ ２０−１は、このとき認証要求メッセージをＣＳＳ ９０から受信したとする（Ｔ１２９）。内線ＣＳ ２０−１は、認証要求メッセージをＰＨＳ内線端末３０−１に転送する（Ｔ１３１）。認証要求メッセージを受信したＰＨＳ内線端末３０−１は、認証要求メッセージに含まれる乱数を、認証鍵を用いて暗号化し、これを添付した認証応答メッセージを内線ＣＳ ２０−１に送信する（Ｔ１３２）。認証応答メッセージを受信した内線ＣＳ ２０−１は、認証応答メッセージをＣＳＳ ９０に転送する（Ｔ１３４）。認証応答メッセージを受信したＣＳＳ ９０は、メッセージに添付された暗号化された乱数と、自身が計算した暗号化された乱数が一致したことを確認して、かつ着ユーザ呼出が開始されたことを確認して、呼出メッセージを内線ＣＳ ２０−１に送信する（Ｔ１３６）。内線ＣＳ ２０−１は、呼出メッセージをＰＨＳ内線端末３０−１に転送する（Ｔ１３７）。ＣＳＳ ９０は、呼が着ユーザに受け付けられたことを確認して、応答メッセージを内線ＣＳ ２０−１に送信する（Ｔ１３８）。内線ＣＳ ２０−１は、応答メッセージをＰＨＳ内線端末３０−１に転送する（Ｔ１３９）。
【００２４】
以上で、ＰＨＳ内線端末３０−１と図示しない他のＰＨＳ内線端末３０−２の間の、ＰＨＳ内線端末３０−１＿内線ＣＳ ２０−１＿ＣＳＳ ９０＿内線ＣＳ ２０−２＿ＰＨＳ内線端末３０−２の通話が開始される。
【００２５】
図７は、ＰＨＳ内線端末の内線着信時のシーケンスを示である。図６で説明したように、ＣＳＳ ９０は、内線ＣＳからの呼設定メッセージを受信すると着番号から内線か外線かを判断する。ＣＳＳ ９０は、その判断結果を内線ＣＳへのＵＩ−ＳＥＴＵＰ（Unnumbered Information-SETUP）メッセージに付与して送信する（Ｔ１５１）。内線ＣＳ ２０は、判断結果を記憶し、追って、ＰＨＳ内線端末３０への機能要求応答メッセージにて一斉呼出エリアの異なる他ＣＳへの再発呼型接続機能有/無を指示する。ここでは、内線ＣＳ ２０は、着呼メッセージをＰＨＳ内線３０−１に送信する（Ｔ１５２）。着呼メッセージを受信したＰＨＳ内線３０−１は、リンクチャネルを確立する。リンクチャネルの確立手順であるリンクチャネル確立要求メッセージからＵＡ応答メッセージまでは、図６と同じなので省略する。
【００２６】
リンクチャネルを確立したＰＨＳ内線端末３０−１は、着呼応答メッセージを内線ＣＳ ２０−１に送信する（Ｔ１５３）。着呼応答メッセージを受信した内線ＣＳ ２０−１は、呼設定メッセージをＰＨＳ内線端末３０−１に送信する（Ｔ１５４）。呼設定メッセージを受信したＰＨＳ内線端末３０−１は、呼設定受付メッセージを内線ＣＳ ２０−１に返信する（Ｔ１５６）。内線ＣＳ ２０−１は、受信した呼設定受付メッセージをＣＳＳ ９０に転送する（Ｔ１５７）。ＰＨＳ内線端末３０−１は、定義情報要求メッセージを内線ＣＳ ２０−１に送信する（Ｔ１５８）。定義情報要求メッセージを受信した内線ＣＳ ２０−１は、定義情報応答メッセージをＰＨＳ内線端末３０−１に返信する（Ｔ１５９）。ＰＨＳ内線端末３０−１は機能要求メッセージを内線ＣＳ ２０−１に送信する（Ｔ１６１）。機能要求メッセージを受信した内線ＣＳ ２０−１は、機能要求応答メッセージをＰＨＳ内線端末３０−１に返信する（Ｔ１６２）。前述したように、この機能要求応答メッセージには、一斉呼出エリアの異なる他ＣＳへの再発呼型接続機能有/無が指示されている。
【００２７】
ＰＨＳ内線端末３０−１は、秘匿鍵設定メッセージを内線ＣＳ ２０−１に送信する（Ｔ１６３）。秘匿鍵設定メッセージを受信した内線ＣＳ ２０−１は、このとき認証要求メッセージをＣＳＳ ９０から受信したとする（Ｔ１６４）。内線ＣＳ ２０−１は、認証要求メッセージをＰＨＳ内線端末３０−１に転送する（Ｔ１６６）。認証要求メッセージを受信したＰＨＳ内線端末３０−１は、認証応答メッセージを内線ＣＳ ２０−１に送信する（Ｔ１６７）。認証応答メッセージを受信した内線ＣＳ ２０−１は、認証応答メッセージをＣＳＳ ９０に転送する（Ｔ１６８）。
【００２８】
認証応答メッセージを送信したＰＨＳ内線端末３０−１は、リンガを鳴動する（Ｔ１６９）。さらに、ＰＨＳ内線端末３０−１は、呼出メッセージを内線ＣＳ ２０−１に送信する（Ｔ１７０）。呼出メッセージを受信した内線ＣＳ ２０−１は、呼出メッセージをＣＳＳ ９０に転送する（Ｔ１７１）。ＰＨＳ内線端末３０−１のユーザがオフフックしたとき、ＰＨＳ内線端末３０−１は、応答出メッセージを内線ＣＳ ２０−１に送信する（Ｔ１７２）。応答メッセージを受信した内線ＣＳ ２０−１は、応答メッセージをＣＳＳ ９０に転送する（Ｔ１７３）。応答メッセージを受信したＣＳＳ ９０は、応答確認メッセージを内線ＣＳ ２０−１に送信する（Ｔ１７４）。応答確認メッセージを受信した内線ＣＳ ２０−１は、応答確認メッセージをＰＨＳ内線３０−１に転送する（Ｔ１７６）。
【００２９】
以上で、図示しない他のＰＨＳ内線端末３０−２とＰＨＳ内線端末３０−１の間の、ＰＨＳ内線端末３０−２＿内線ＣＳ ２０−２＿ＣＳＳ ９０＿内線ＣＳ ２０−１＿ＰＨＳ内線端末３０−１の通話が開始される。
【００３０】
ＰＨＳ内線発信時、内線ＣＳはＣＳＳからの呼設定受付メッセージにより内線外線の判断結果を受信する。そのため、内線ＣＳはＣＳＳからの判断結果つまり、呼設定受付メッセージを受信した後にＰＨＳ内線端末に機能要求応答メッセージを送信しなければならない。機能要求待ち状態の内線ＣＳが、ＰＨＳ内線端末からＲＴ機能要求またはＣＳＳから呼設定受付を受信した場合について、図８を用いて説明する。
【００３１】
図８において、機能要求待ちの内線ＣＳ ２０がＰＨＳ内線端末（ＰＳ：Personal Station）から機能要求メッセージを受信したとき（Ｓ３０１）、内線ＣＳ ２０は、子設定受付メッセージを受信済みか判定する（Ｓ３０２）。ＮＯのとき、機能要求を受信したことを記憶し（Ｓ３０３）、終了する。ステップ３０２でＹＥＳのとき、内線ＣＳ ２０は、内線呼か判定する（Ｓ３０４）。ＮＯのとき、内線ＣＳ ２０は、一斉呼出エリアの異なる他のＣＳへの再発呼型接続機能有に設定し（Ｓ３０５）、ステップ３０７に遷移する。ステップ３０４でＹＥＳのとき、一斉呼出エリアの異なる他のＣＳへの再発呼型接続無に設定する（Ｓ３０６。内線ＣＳ ２０は、ＰＨＳ内線端末３０あてに機能要求応答を送信し（Ｓ３０７）、終了する。この機能要求応答には、一斉呼出エリアの異なる他のＣＳへの再発呼型接続無／有が記載されている。
【００３２】
一方、機能要求待ちの内線ＣＳ ２０がＣＳＳ ９０から呼設定受付メッセージを受信したとき（Ｓ３１１）、内線ＣＳ ２０は、機能要求メッセージを受信済みか判定する（Ｓ３１２）。ＮＯのとき、内線ＣＳ ２０は、内線か外線かを判定し（Ｓ３１３）、終了する。ステップ３１２でＹＥＳのとき、内線ＣＳ ２０は、内線呼か判定する（Ｓ３１４）。ＮＯならば、一斉呼出エリアの異なる他のＣＳへの再発呼型接続有に設定し（Ｓ３１５）、ステップ３１７に遷移する。ステップ３１４でＹＥＳならば、一斉呼出エリアの異なる他のＣＳへの再発呼型接続無に設定する（Ｓ３１６）。内線ＣＳ ２０は、ＰＨＳ内線端末３０あてに機能要求応答を送信し（Ｓ３１７）、終了する。この機能要求応答には、一斉呼出エリアの異なる他のＣＳへの再発呼型接続無／有が記載されている。
【００３３】
図９を参照して、内線着信時の内線ＣＳによる、ＵＩ−ＳＥＴＵＰメッセージ受信から、着呼メッセージ送信までのフローを説明する。図９は、図７のシーケンス図では、Ｔ１５１とＴ１５２間の内線ＣＳの動作フローである。
【００３４】
図９において、内線ＣＳ ２０は、アイドル状態でＣＳＳ ９０からＵＩ−ＳＥＴＵＰメッセージを受信する（Ｓ３２１）。内線ＣＳ ２０は、ＵＩ−ＳＥＴＵＰメッセージから内線か外線を示す情報を取り出す（Ｓ３２２）。内線ＣＳ ２０は、その結果を記憶する（Ｓ３２３）。内線ＣＳ ２０は、ＰＨＳ内線端末３０に着呼メッセージを送信し（Ｓ３２４）、着呼応答待ち状態に移行する。
【００３５】
図１０は、内線着信時の内線ＣＳによる、機能要求メッセージ受信から、Ｐ機能要求応答メッセージを送信するまでのフロー図である。図１０は、図７のシーケンス図では、Ｔ１６１とＴ１６２との間の内線ＣＳの動作フローである。
【００３６】
内線ＣＳ ２０は、ＰＨＳ内線端末からＲＴ機能要求を受信する（Ｓ３３１）。内線ＣＳ ２０は、内線呼か外線呼かの判断を行う（Ｓ３３２）。判断結果はすでに記憶されており、内線ＣＳ ２０は、内線呼であれば（Ｓ３３２：ＹＥＳ）、一斉呼出エリア間他ＣＳ ４０への再発呼型接続機能無に設定する（Ｓ３３３）。内線ＣＳ ２０は、ＰＨＳ内線端末への機能要求応答メッセージに付与して送信し（Ｓ３３４）、待ち状態に遷移する。ステップ３３２で外線呼（ＮＯ）の場合、一斉呼出エリア間他ＣＳ ４０への再発呼型接続機能有に設定し（Ｓ３３５）、ステップ３３４に遷移する。
【００３７】
本実施例に拠れば、ＣＳＳは呼が内線通話か外線通話かを判定し、内線ＣＳに通知し、内線ＣＳは、内線通話のとき一斉呼出エリアの異なるＣＳへのハンドオーバを禁止するようＰＨＳ内線端末を制御するので、内線ユーザがシステム内で内線通話を行う際、安定した通話とすることができる。一方、外線ユーザは、公衆ＣＳにもハンドオーバできるので、品質の高い通話が可能である。
【図面の簡単な説明】
【００３８】
【図１】ＰＨＳ屋内カバレッジシステムと公衆網との干渉を説明する図である。
【図２】ＰＨＳ屋内カバレッジシステムのシステム構成を説明するブロック図である。
【図３】ＰＨＳ内線端末、内線ＣＳ、公衆ＣＳ、ＰＨＳ交換機の間のシーケンス図である。
【図４】ＣＳ−ＩＤのフォーマットである。
【図５】機能要求応答メッセージのフォーマットである。
【図６】ＰＨＳ内線端末、内線ＣＳ、ＣＳＳのシーケンス図である。
【図７】ＰＨＳ内線端末、内線ＣＳ、ＣＳＳのシーケンス図である。
【図８】内線ＣＳの動作フローチャートである。
【図９】内線ＣＳの動作フローチャートである。
【図１０】内線ＣＳの動作フローチャートである。
【符号の説明】
【００３９】
２０…内線ＣＳ、３０…ＰＨＳ内線端末、４０…ＰＨＳ公衆ＣＳ、６０…オフィスビル、７０…ＰＨＳ屋内カバレッジシステムの構成図、８０…ＰＨＳ公衆網、９０…ＣＳＳ、９５…ＩＳＤＮ回線、２００…機能要求応答メッセージ、２０１…ＴＣＨ切替情報要素、２０３…ＴＣＨ切替機能種別、２１０…ＣＳ−ＩＤ、２１１…事業者識別符号、２１２…一斉呼出エリア番号、２１３…付加ＩＤ。
【図１】
2008148247.tif 000003
【図２】
2008148247.tif 000004
【図３】
2008148247.tif 000005
【図４】
2008148247.tif 000006
【図５】
2008148247.tif 000007
【図６】
2008148247.tif 000008
【図７】
2008148247.tif 000009
【図８】
2008148247.tif 000010
【図９】
2008148247.tif 000011
【図１０】
2008148247.tif 000012